(57)【特許請求の範囲】
【請求項１】
吊戸用ガイドレール内の天井面に対して、ネジ止め部材を取り付けるためのネジ止め部材用取付治具であって、
前記ネジ止め部材用取付治具は、上面部に窪み状に形成され、載置されたネジ止め部材を嵌合保持する保持部と、この保持部の底面に形成されたネジ通孔部と、離間幅がほぼガイドレールの開口幅と同じ寸法幅をもって形成された左右一対の垂下片と、これら垂下片の外面側に形成され、ガイドレールの開口リップ片に係合する爪部とを有することを特徴とするネジ止め部材用取付治具。
【請求項２】
前記ネジ止め部材は、下側ブロックと、この上面側に連続して設けられたやや小寸の上側ブロックとからなり、前記上側ブロックはガイドレールのネジ止め部材取付部位に形成された孔部に対して嵌合される部位であり、前記下側ブロックがガイドレール内に突出した状態とされる部位である請求項１記載のネジ止め部材用取付治具。
【発明の詳細な説明】
【技術分野】
【０００１】
本発明は、吊戸用ガイドレール内の天井面に対してネジ止め部材を取り付けるための取付治具に関する。
【背景技術】
【０００２】
従来より、戸の上端部に固定された吊り車型ランナ装置が戸枠の鴨居に固設されたガイドレールに沿って走行案内される吊戸（引戸）では、開き状態から所定の位置まで閉めた後は、閉まり位置まで自動的に引込んで閉止させる引込み装置が種々提案されている。
【０００３】
例えば、本出願人は、下記特許文献１において、引戸又は戸枠に設置された引込み装置本体と、前記引込み装置本体に向けた突出状態で戸枠又は引戸に固設された係合ピンとからなり、前記引込み装置本体は、ケース内を引戸の開閉方向に沿ってスライド可能に設けられるとともに、前記ケースに形成されたスライド案内溝に係合する係合突部を有し、且つ上端部が前記ケースから突出状態で設けられ前記係合ピンと係脱する関係にあるスライダーと、ピストン先端が前記スライダーに連結された状態で前記ケース内に設けられるピストン式ダンパーと、一端が前記スライダーに係止されるとともに他端が前記ケースに係止され、前記スライダーに引戸の引込み方向の付勢力を与えるスプリング部材とから構成され、
前記スライド案内溝の引戸端部側には、前記スライド案内溝から連続して屈曲状案内溝からなる仮停止部が形成され、
前記スライダーには、引戸の開操作に伴い前記係合ピンに係合して該スライダーを前記スプリング部材の付勢力に抗して引戸端部側に移動させるとともに、スライド案内溝の引戸端部側においてスライダーの係合突部が前記屈曲状案内溝側に案内されることにより該スライダーを揺動させて仮停止状態とし、これに伴い前記係合ピンとの係合が解除される先端側係合片と、引戸の閉操作に伴い前記係合ピンに係合して前記仮停止状態にあるスライダーを揺動動作させ仮停止状態を解除することにより前記先端側係合片と係合ピンとを係合させる基端側係合片とが備えられ、前記引戸の閉操作時に、前記ピストン式ダンパーによる制動力を受けながら前記スプリング部材の付勢力により引戸を閉まり位置まで引き込むようにした引戸の引込み装置を開示している。
【０００４】
上記特許文献１において、前記係合ピンはガイドレール内の天井面に対してネジ止めによって固定されることになる。
【０００５】
しかしながら、ガイドレールの開口幅は狭くて手指が入らないため、係合ピン及び取付ネジを直接手で持ってネジ止め位置に正確に保持することが困難であるなどの問題があった。
【０００６】
この問題に対して、下記特許文献２では、部品をガイドレール内の取付面（天井部）にねじ止めする際に使用されるねじ止め用治具が開示されている。このネジ止め用治具５０は、図１４に示されるように、基端側に手指で把持される把持部５１と、先端側に部品を保持する部品保持部５２をそれぞれ設けるとともに、取付ねじ５３が挿通されるねじ通し穴５４を、上記部品保持部５２に保持された部品４９の取付穴に連通する状態で基端側から先端側までトンネル状に貫通して設けたものである。また、前記ねじ通し穴５４の先端側に、取付ねじ５３の軸部を弾性的に挟持し得る拡縮変形可能なチャック部５５を設け、このチャック部５５の内側に先端側に向かって先すぼまりのテーパ面を設け、このテーパ面が取付ねじの頭部で押されることによりチャック部５５が拡開して取付ネジ２４の頭部５３ａの通過を許容し得るようにしている。
【先行技術文献】
【特許文献】
【０００７】
【特許文献１】特願２０１０−８４９４９号
【特許文献２】特開２００７−１７５８０１号公報
【発明の概要】
【発明が解決しようとする課題】
【０００８】
上記特許文献２のネジ止め用治具によれば、かなりネジ止め作業がやりやすくなるものの、依然として治具を手で保持しながらの作業となるため、作業が煩雑で煩わしいなどの問題があった。また、同ネジ止め用治具の場合は、取付ネジをねじ込んでチャック部がネジ頭部で押されて開き、締め込み完了と同時にネジ頭部がチャック部から外れるようにしているが、この方法の場合は、取付ネジがチャック部から外れるようにするために、頭部が皿状のネジしか使用することができず、ネジ形式が限定されるとともに、ある程度大きなネジになるとチャック部を頭部が通過できないなどの問題もあった。
【０００９】
そこで本発明の主たる課題は、吊戸用ガイドレール内の天井面に対してネジ止め部材を取り付けるに当り、ネジ止め用治具を手で持つことなくハンズフリーの状態でネジ止め作業を行えるようにするとともに、ネジ形式も限定されないようにすること。更に、位置決め作業も容易に行えるなどの利点を有するネジ止め部材用取付治具を提供することにある。
【課題を解決するための手段】
【００１０】
上記課題を解決するために請求項１に係る本発明として、吊戸用ガイドレール内の天井面に対して、ネジ止め部材を取り付けるためのネジ止め部材用取付治具であって、
前記ネジ止め部材用取付治具は、上面部に窪み状に形成され、載置されたネジ止め部材を嵌合保持する保持部と、この保持部の底面に形成されたネジ通孔部と、離間幅がほぼガイドレールの開口幅と同じ寸法幅をもって形成された左右一対の垂下片と、これら垂下片の外面側に形成され、ガイドレールの開口リップ片に係合する爪部とを有することを特徴とするネジ止め部材用取付治具が提供される。
【００１１】
上記請求項１記載の発明では、ネジ止め部材を取付治具の上面に嵌合保持した状態とし、前記垂下片の爪部をガイドレールの開口リップ片に対して係合させることにより前記取付治具をガイドレールに対してセットできるため、ハンズフリーな状態でネジ止め作業が行えるようになる。また、ハンズフリーが可能であるため、前記特許文献２のように取付ネジを仮保持するようにしなくても良く、取付ネジを手で持ってネジ止めが行えるようになるため、作業が簡略化されるようになる。また、取付ネジの形式にも制限がなくなる。
【００１２】
請求項２に係る本発明として、前記ネジ止め部材は、下側ブロックと、この上面側に連続して設けられたやや小寸の上側ブロックとからなり、前記上側ブロックはガイドレールのネジ止め部材取付部位に形成された孔部に対して嵌合される部位であり、前記下側ブロックがガイドレール内に突出した状態とされる部位である請求項１記載のネジ止め部材用取付治具が提供される。
【００１３】
上記請求項２記載の発明は、対象とする前記ネジ止め部材の構造を限定したものである。具体的には、前記ネジ止め部材は、下側ブロックと、この上面側に連続して設けられたやや小寸の上側ブロックとからなり、前記上側ブロックはガイドレールのネジ止め部材取付部位に形成された孔部に対して嵌合される部位となる。従って、取付部位の近傍に前記ネジ止め部材用取付治具をガイドレールにセットした状態で、ガイドレールに沿ってネジ止め部材用取付治具をスライドさせると、前記上側ブロックはガイドレールのネジ止め部材取付部位に形成された孔部に対して自動的に嵌合し、正確な位置決めが成されるようになる。
【発明の効果】
【００１４】
以上詳説のとおり本発明によれば、ネジ止め部材を手で持つことなくハンズフリーの状態でネジ止め作業を行えるようになるとともに、ネジ形式も限定されないようになる。また、位置決め作業も容易に行えるなどの利点を有するネジ止め部材用取付治具を提供することが可能となる。
【図面の簡単な説明】
【００１５】
【図１】本発明に係る引込み装置１を適用した引戸２の正面図である。
【図２】そのII部拡大図である。
【図３】(A)は引込み装置１を適用した上ガイドレール４の斜視図、(B)はその一部破断図である。
【図４】引込み装置本体１０を示す、(A)は上面図、(B)は正面図、(C)は側面図、(D)は断面図である。
【図５】引込み装置本体１０を示す、(A)は斜視図、(B)は断面斜視図である。
【図６】スライダー１５を示す、(A)は上面図、(B)は正面図、(C)は側面図である。
【図７】スライダー１５を示す斜視図である。
【図８】(A)、(B)はスライダー１５の組立要領を示す斜視図である。
【図９】係合ピン１１を示す、(A)は平面図、(B)は正面図、(C)は底面図、(D)は縦断面図である。
【図１０】ネジ止め部材用取付治具２０を示す、(A)は平面図、(B)は正面図、(C)は側面図、(D)は縦断面図である。
【図１１】係合ピン１１のネジ止め部材用取付治具２０へのセット要領図である。
【図１２】係合ピン１１の取付手順図(A)〜(C)である。
【図１３】(A)〜(C)は引込み装置１の作動要領を示す断面図である。
【図１４】特許文献２に係るネジ止め用治具５０の作業要領を示す斜視図である。
【発明を実施するための形態】
【００１６】
以下、本発明の実施の形態について図面を参照しながら詳述する。
〔引込み装置１の構造例〕
図１に示される吊戸２は、例えばアルミ等の金属材料からなる上框３Ａ、下框３Ｂ、縦框３Ｃ、３Ｄによって構成されたフレーム枠３内にパネル７が嵌め込まれたものであり、鴨居６Ａ、敷居６Ｂ及び側枠６Ｃ、６Ｄからなる戸枠６に収容されている。
【００１７】
前記吊戸２は、図示例では吊戸２の上端部に固定された吊り車型ランナ装置８が、戸枠の鴨居６Ａに固設された上ガイドレール４に沿って走行案内される吊戸式とされたものである。具体的には、前記鴨居６Ａには上ガイドレール４が配設されるとともに、敷居６Ｂには下ガイドレール５が配設され、吊戸２の上端部に固定されている吊り車型ランナ装置８が前記上ガイドレール４に沿って走行案内され、かつ吊戸２の下端に固定されている下ランナ９が下ガイドレール５に沿って走行案内されることにより、吊戸２が開閉自在となっている。
【００１８】
図１〜図３に示されるように、前記上ガイドレール４内には、前記吊戸２の戸元側の吊り車型ランナ装置８に係止され一体的に移動する引込み装置本体１０と、この引込み装置本体１０に向けて下方側に突出させた状態で固設された係合ピン１１とからなる引込み装置１が設けられている。前記引込み装置本体１０は、吊戸２の開閉に伴い前記吊り車型ランナ装置８とともに上ガイドレール４に沿ってスライド走行可能とされている。
【００１９】
かかる吊戸２は、開状態から閉操作が行われると、引込み装置本体１０と係合ピン１１との係合によって閉まり位置まで引き込まれるようになっている。
【００２０】
前記引込み装置本体１０及び係合ピン１１からなる引込み装置１の構造について詳細に説明する。
【００２１】
前記引込み装置本体１０は、図４及び図５に示されるように、ケース１２内を吊戸２の開閉方向に沿ってスライド可能に設けられるとともに、前記ケース１２に形成されたスライド案内溝１３に係合する基端側係合突部１４ａ及び先端側係合突部１４ｂを有し、且つ上端部が前記ケース１２から突出状態で設けられることにより前記係合ピン１１と係脱する関係にあるスライダー１５と、ピストン先端が前記スライダー１５に連結された状態で前記ケース１２内に設けられるピストン式ダンパー１６と、一端が前記スライダー１５に係止されるとともに他端が前記ケース１２に係止され、前記スライダー１５に吊戸２の引込み方向の付勢力を与えるスプリング部材１７とから主に構成されている。
【００２２】
前記ケース１２は、同図４及び図５に示されるように、断面略方形状のケース本体１２Ａと、このケース本体１２Ａの吊戸端部側に一体的に設けられ、前記吊り車型ランナ装置８のシャフトが係止可能とされる係合溝Ｓを有するランナ係止部１２Ｂとから構成されている。
【００２３】
前記ケース本体１２Ａの吊戸中央側の略半分には、上下方向に区画する中間壁１２ａが設けられ、その上側が部材長手方向に沿って上側に開口する前記ピストン式ダンパー１６を収容するためのダンパー収容空間１２ｂとされ、下側が部材長手方向に沿って下側に開口する前記スプリング部材１７を収容するためのスプリング収容空間１２ｃとされている。前記スプリング収容空間１２ｃの吊戸中央側端部には、前記スプリング部材１７の一端を係止するための係止溝１２ｅが設けられている。
【００２４】
またケース本体１２Ａの吊戸端部側の略半分には、前記スライダー１５がスライド自在に備えられる、部材長手方向に沿って上側に開口するスライダー用空間１２ｄとされている。
【００２５】
前記スライダー用空間１２ｄの両側壁にはそれぞれ、前記スライド案内溝１３が形成されている。前記スライド案内溝１３は、吊戸２の開閉方向に沿った直線状案内溝１３ａと、この直線状案内溝１３ａの吊戸端部側に連続して下方向に屈曲する、図示例では下方向に垂下する壁面が形成される屈曲案内溝１３ｂとからなり、前記屈曲状案内溝１３ｂがスライダー１５の仮停止部Ｋを構成している。
【００２６】
一方、前記スライダー１５は、図６及び図７に示されるように、前記ピストン先端が連結されるピストン連結部１５ａと、その下側に延在し前記スプリング部材１７の一端が係止される係止溝１５ｄが形成されたスプリング係止部１５ｂと、前記ピストン連結部１５ａの上側に延在し上端部が前記ケース１２の上端から突出状態で設けられる基端側係合片１５ｃと、前記ピストン連結部１５ａの吊戸端部側に延在するとともに、前記基端側係合片１５ｃと所定の離隔幅を設けて、上端部が前記ケース１２の上端から突出状態で設けられる先端側係合片１５ｅとから構成されている。前記基端側係合片１５ｃと先端側係合片１５ｅとは、これらの間に前記係合ピン１１が係合可能な程度の離隔幅が設けられている。
【００２７】
前記スライダー１５のピストン連結部１５ａには通孔１５ｆが形成され、この通孔１５ｆを貫くとともに、ピストン先端に設けられた通孔（図示せず）を貫く軸部材１８（図４及び図５参照）が設けられることにより、ピストン先端とスライダー１５とが連結されている。前記軸部材１８は、両端がスライダー１５の両側に突出した状態で設けられ、この突出した両端部が前記スライド案内溝１３に係合する基端側係合突部１４ａ、１４ａを形成している。
【００２８】
また、前記スライダー１５の先端側係合片１５ｅの中央部には、両側部に突出する先端側係合突部１４ｂ、１４ｂが設けられている。
【００２９】
前記先端側係合片１５ｅは、より詳細には、図８(A)に示されるように、スライダー１５の先端部から横向きレ字状に折り返された折返し部１５ｇと、さらにその先端から下方側に向けて延在する垂下片１５ｈと、この垂下片１５ｈの先端に水平方向に突出するとともに、スライダー本体に係合する水平係止片１５ｉとを有する。そして、没入側に押し込んで前記水平係止片１５ｉをスライダー本体に係合させて図８(B)の状態とする。従って、吊戸２の開閉時に係合ピン１１が前記垂下片１５ｈに当接し力が加わったとしても、前記水平係止片１５ｉが抜止め防止材となって、前記垂下片１５ｈ及び折返し部１５ｇとが抜け出るように上方向側に変形するのを防止する。
【００３０】
前記先端側係合片１５ｅは弾性変形可能な樹脂材によって形成することが好ましい。このようにして形成された先端側係合片１５ｅは、上端部から下方向に押圧が加わると、スライダー先端の折り返し部の弾性変形によって上端部が下方向に移動可能となっている。この上下方向の弾性変形量は、スライダー１５を引込み装置本体１０に組み込んだ場合に前記係合ピン１１を乗り越えることができる程度であって、先端側係合片１５ｅの上端部がケース１２内に没入可能な程度とすることが好ましい。
【００３１】
前記係合ピン１１は、図２に示されるように、略角ブロック状に形成され、中心部に形成された通孔に挿入されるビスによってガイドレール４内の天井面にビス止めされる。前記係合ピン１１が本発明の「ビス止め部材」に該当する部材である。
【００３２】
前記係合ピン１１は、詳細には図９に示されるように、下側ブロック１１Ａと、この上面側に連続して設けられたやや小寸の上側ブロック１１Ｂとからなる角ブロック状の部材とされる。前記上側ブロック１１Ｂはガイドレール４の係合ピン１１取付部位に形成された角孔４ａに対して嵌合される部位であり、実質的に前記下側ブロック１１Ａがガイドレール４内に突出した状態となる。前記係合ピン１１の底面側には、ビス頭部用凹部１１ａが形成されるとともに、このビス頭部用凹部１１ａの上面中央から上方向に貫通されたビス通孔１１ｂが形成されている。
【００３３】
〔ビス止め部材用取付治具〕
前記係合ピン１１をガイドレール４内の天井面に設置するために、図１０に示されるビス止め部材用取付治具２０が用いられる。
【００３４】
このビス止め部材用取付治具２０は、上面部に窪み状に形成され、載置された係合ピン１１を嵌合保持する保持部２１と、この保持部２１の底面に形成されたネジ通孔部２２と、離間幅がほぼガイドレールの開口幅と同じ寸法幅をもって形成された左右一対の垂下片２３Ａ、２３Ｂと、これら垂下片２３Ａ、２３Ｂの外面側に形成され、ガイドレールの開口リップ片に係合する爪部２３ａ、２３ｂとを有する部材である。
【００３５】
更に補足すると、前記ビス止め部材用取付治具２０は、側面視で下側に開口を向けたコ字状部材を基材として、その上面に窪み状に形成された保持部２１を有する。この保持部２１は、丁度前記係合ピン１１が嵌合可能な寸法とされ、幅方向の縁部には小さな凸部２１ａ、２１ａが形成され、嵌合された状態では左右の凹部壁面と、前後の前記凸部２１ａ、２１ａによって滑り落ちないように保持されるようになっている。前記保持部２１の底面に形成されたネジ通孔部２２は、取付ネジの頭部が貫通できる寸法の孔となっている。
【００３６】
一方、前記左右一対の垂下片２３Ａ、２３Ｂは、該ビス止め部材用取付治具２０をガイドレール４に取り付ける際の摘み部となる部分で、指で摘んだ際、対面方向に対して弾性変形可能となっている。また、外面に形成された爪部２３ａ、２３ｂは、該ビス止め部材用取付治具２０をガイドレール４の開口溝に挿入した際、ガイドレール４の開口リップ片に係合するようにした部分であり、断面形状は下側に向かって傾斜面を有する略三角形状となっている。
【００３７】
取付作業は、図１１に示されるように、前記ビス止め部材用取付治具２０の保持部２１に対して係合ピン１１を嵌合設置する。次に、左右一対の垂下片２３Ａ、２３Ｂを指で摘み、該垂下片２３Ａ、２３Ｂを対面方向に弾性変形させた状態で先端側からガイドレール４の開口溝内に挿入する（図１２(A)参照）。この際、前記ガイドレール４の係合ピン１１取付部位に対して正確に嵌め込まなくてもよく、嵌め込んだ状態で、同図１２(A)に示されるように、ガイドレール４の開口リップ片４ｂ、４ｂが弾性変形しながら前記爪部２３ａ、２３ｂに係合した状態とすることで、前記ビス止め部材用取付治具２０に上方向への力が作用した状態とする。この状態で、前記ビス止め部材用取付治具２０をガイドレール４方向にスライドさせると、係合ピン１１の上側ブロック１１Ｂが角孔４ａに自動的に嵌り込む。この際、「カチッ」と音がするため嵌り込みを音で確認することができる。
【００３８】
前記ビス止め部材用取付治具２０をガイドレール４に取付けたならば、両手が自由になるため、ねじ回しの先端に取付ビス２４を載せた状態で、前記垂下片２３Ａ、２３Ｂの間から挿入し、ビス止め部材用取付治具２０のネジ通孔部２２を通し、更に係合ピン１１のビス通孔１１ｂを通し、先端が鴨居６Ａに当たったならば、ねじ回しにより取付ネジ２４をねじ込んで係合ピン１１を固定する（図１２(B)参照）。
【００３９】
前記係合ピン１１の固定作業が完了したならば、図１２(C)に示されるように、左右一対の垂下片２３Ａ、２３Ｂを指で摘み、垂下片２３Ａ、２３Ｂの離間幅を狭めるように弾性変形させて、爪部２３ａ、２３ｂと、開口リップ片４ｂ、４ｂとの係合を解除し、前記ビス止め部材用取付治具２０をガイドレール４から取り外す。
【００４０】
〔引込み装置１の作動説明〕
（吊戸２の開操作時）
図１３(A)に示されるように、吊戸２が閉まり位置にある場合、スライダー１５が吊戸中央側に位置され、このスライダー１５の基端側係合片１５ｃと先端側係合片１５ｅとの間の離隔部分に係合ピン１１が位置している。
【００４１】
この閉まり状態にある吊戸２の開操作を行うと、同図１３(B)に示されるように、係合ピン１１と先端側係合片１５ｅとの係合により、スライダー１５がスプリング部材１７の付勢力に抗して吊戸端部側に移動するとともに、スライダー１５の先端側係合突部１４ｂが屈曲状案内溝１３ｂ側に案内されることによりスライダー１５を揺動させて仮停止状態とし、これに伴い先端側係合片１５ｅと係合ピン１１との係合が解除される。従って図１３(C)に示されるように、吊戸２をさらに開操作できるようになる。
【００４２】
（吊戸２の閉操作時）
次に吊戸２の閉操作時の作動状態について説明する。吊戸２を開き状態（図１３(C)）から図１３(B)に示される所定の位置まで閉操作を行うと、前記開操作によって仮停止状態とされたスライダー１５の基端側係合片１５ｃに係合ピン１１が当接して、スライダー１５を揺動動作させ仮停止状態が解除される。これによりスライダー１５の基端側係合片１５ｃと先端側係合片１５ｅとの離隔部分に係合ピン１１が位置し、先端側係合片１５ｅと係合ピン１１とが係合した状態となる。その後、前記ピストン式ダンパー１６による制動力を受ながらスプリング部材１７の付勢力によって、吊戸２が閉まり位置まで引き込まれるようになる（図１３(A)）。
【符号の説明】
【００４３】
１…引込み装置、２…吊戸、３Ａ…上框、３Ｂ…下框、３Ｃ・３Ｄ…縦框、４…上ガイドレール、５…下ガイドレール、６…戸枠、６Ａ…鴨居、６Ｂ…敷居、６Ｃ・６Ｄ…側枠、７…パネル、８…吊り車型ランナ装置、９…下ランナ、１０…引込み装置本体、１１…係合ピン（ネジ止め部材）、１２…ケース、１３…スライド案内溝、１４ａ…基端側係合突部、１４ｂ…先端側係合突部、１５…スライダー、１５ｃ…基端側係合片、１５ｅ…先端側係合片、１６…ピストン式ダンパー、１７…スプリング部材、Ｋ…仮停止部、２０…ビス止め部材用取付治具、２１…保持部、２２…ネジ通孔部、２３Ａ・２３Ｂ…垂下片、２３ａ・２３ｂ…爪部
【図１】
0005602036.tif 000002
【図２】
0005602036.tif 000003
【図３】
0005602036.tif 000004
【図４】
0005602036.tif 000005
【図５】
0005602036.tif 000006
【図６】
0005602036.tif 000007
【図７】
0005602036.tif 000008
【図８】
0005602036.tif 000009
【図９】
0005602036.tif 000010
【図１０】
0005602036.tif 000011
【図１１】
0005602036.tif 000012
【図１２】
0005602036.tif 000013
【図１３】
0005602036.tif 000014
【図１４】
0005602036.tif 000015